(57)【要約】【課題】タイルの割れや欠けを防ぐと共にスムーズに能率良く敷設することができるようにする。また、並べるときにずれることを防ぐことができるようにする。【解決手段】ゴム等の弾性素材をもってタイル等敷設用フレーム１を製作する。タイル等敷設用フレーム１は、タイル等を受容するに適した大きさ及び形状の薄い箱形とする。そしてまた、その底部１Ａに水抜き孔２、２、２・・・を穿設すると共に底面に多数の小突起３、３、３・・・を設ける。また、その周壁の適宜の箇所には連結用の突起４と凹部５とを設ける。【選択図】図１ 
0003104512.tif 000002
【実用新案登録請求の範囲】
【請求項１】
タイル等を受容するに適した大きさ及び形状の薄い箱形をなし、底部に水抜き孔を穿設すると共に底面の適宜の箇所に小突起を設けてなるタイル等敷設用フレーム。
【請求項２】
周壁の適宜の箇所に連結用の突起と凹部とを設けてなる請求項１記載のタイル等敷設用フレーム。
【請求項３】
ゴム、プラスチック等の弾性素材からなる請求項１又は２記載のタイル等敷設用フレーム。
【考案の詳細な説明】
【技術分野】
【０００１】
本考案は、特にバルコニーにおける床面にタイルを敷設するに好適なタイル等敷設用フレームに関するものである。
【背景技術】
【０００２】
建物において窓の外に張り出すバルコニーは、相当な面積を有することから、これの有効な活用法が期待される。そして、その有効な活用法の一つとして、バルコニーを装飾して景観を高め、居住環境を向上させることが考えられる。
【０００３】
しかし、該バルコニーには支えがないことが多いことから、大きな重量に耐えられず、このため、装飾性を高める手段も自ずと制約される。
【０００４】
本考案者らは、これまでこれらの点について種々研究を重ねてきた。そして、例えば、化粧加工を施したコンクリート製のブロックを敷設することを考え、実施してみた。しかし、該コンクリート製のブロックは１個あたりの重量が５Ｋｇもあることから、これを支柱のないバルコニーに多数敷設するということは到底無理であった。また、敷設後これがずれたり、割れたりする虞れもある。
【０００５】
また、１個あたりの重量が８００ｇと軽い装飾タイルを用い、これを並べて敷設することも実施してみた。この場合には多数敷設してもバルコニーが充分に耐えられる重量であり、有効であることが分かった。しかしまた、この場合には、タイルを床面に置くときに静かに置かないと衝撃で割れたり、タイルを並べる際に隣り合うタイル同志が当たった衝撃で欠け、或いは割れたりするといった問題点があることも分かった。また、タイルを並べる最中や敷設後にずれるといった問題点があることも分かった。
【考案の開示】
【考案が解決しようとする課題】
【０００６】
本考案は上記の点に鑑みなされたものであって、１個あたりの重量が軽い装飾タイルを用い、これを上記の問題点を解決して、敷設する際に割れたり、欠けたりすることなく、且つまたスムーズに能率良く敷設することができるようになしたタイル等敷設用フレームを提供せんとするものである。
【課題を解決するための手段】
【０００７】
而して、本考案の要旨とするところは、タイル等を受容するに適した大きさ及び形状の薄い箱形をなし、底部に水抜き孔を穿設すると共に底面の適宜の箇所に小突起を設けてなるタイル等敷設用フレームにある。
【０００８】
また、上記構成において、周壁の適宜の箇所に連結用の突起と凹部とを設けるようにしてもよい。この場合には、隣り合うタイル等敷設用フレームの連結用の突起と凹部とが嵌まり合うから、タイルを並べる最中にこれがずれることがなく、スムーズに能率良く敷設することができるものである。
【０００９】
また、上記構成において、材料としてゴム、プラスチック等の弾性素材を用いるようにしてもよい。この場合には、タイル等をタイル等敷設用フレーム内に嵌め入れるときに、多少の衝撃があってもタイル等の割れや欠けを防ぐことができ、また、タイル等を並べるときにも、相互間隔のタイル等敷設用フレーム同志が多少強く当たったとしても、衝撃が緩和され、夫々に受容したタイルが割れることを防ぐことができる。したがってまた、敷設作業の全体の能率を高めることもできるものである。
【考案の効果】
【００１０】
軽量な装飾タイル等を本考案に係るタイル等敷設用フレームに受容した状態において敷設するものであるから、床面に置くときにも、タイルを直接置くよりも素早く、手際よく行うことができ、また並べる際にも素早く、手際よく行うことができるものである。
【００１１】
また、周壁の適宜の箇所に連結用の突起と凹部とを設けた場合には、隣り合うタイル等敷設用フレームの連結用の突起と凹部とが嵌まり合うから、タイルを並べる最中にずれることがなく、スムーズに能率良く敷設することができるものである。
【００１２】
また、材料としてゴム、プラスチック等の弾性素材を用いる場合には、タイルを内部中央に嵌め入れるときに、多少の衝撃があってもタイルの割れや欠けを防ぐことができ、また、タイルを並べるときにも、相互のタイル等敷設用フレーム同志が多少強く当たったとしても衝撃が緩和され、夫々に受容したタイルが割れることを防ぐことができる。したがってまた、敷設作業の全体の能率を高めることもできるものである。
【００１３】
また、底部には水抜き孔を設け、そして小突起により底面をバルコニーの床面から僅かに浮かせるようにしているから、水はけも良いものである。加えて、タイルには様々な色合いや風合いのものがあるから、適宜に選択して好みの雰囲気にすることもできるものである。
【考案を実施するための最良の形態】
【００１４】
本考案を実施するための最良の形態は、ゴム、プラスチック等の弾性素材をもって、タイル等を受容するに適した大きさ及び形状の薄い箱形に成形し、底部に水抜き孔を穿設すると共に底面の適宜の箇所に小突起を設けたことにある。
【実施例】
【００１５】
以下、本考案の実施例について図面を参照しつつ説明する。
図１は斜視図、図２は平面図、図３は図２中Ａ−Ａ線断面図、図４は図２中Ｂ−Ｂ線断面図、図５は底面図、図６はタイルを受容した状態の斜視図、図７は敷設した状態の斜視図、図８は敷設した状態の部分拡大断面図である。
【００１６】
図中、１はタイル等敷設用フレームである。また、該タイル等敷設用フレーム１は、プラスチック、ゴム、木等の素材によって製作され、本実施例は弾性素材であるゴムを用いている。
【００１７】
また、該タイル等敷設用フレーム１は、タイル等を受容するに適した大きさ及び形状の薄い箱形をなしており、底部１Ａに水抜き孔２、２、２・・・を多数穿設すると共に底面の全体にわたって多数の小突起３、３、３・・・を設けている。尚、該水抜き孔２、２、２・・・は内部にしみ込んだ水を抜くためのものであり、また小突起３、３、３・・・はタイル等敷設用フレーム１の底面をバルコニーの床面から僅かに浮かせるためのものである。
【００１８】
また、本実施例におけるタイル等敷設用フレーム１には、周壁の適宜の箇所に連結用の突起４と凹部５とを設けている。尚、該連結用の突起４は平面台形をなし、また凹部５はこれと同形となしている。そしてまた、連結用の突起４は上面から看て上辺と左辺に設け、また凹部５は右辺と下辺に設けている。また、この連結用の突起と凹部は、図示した実施形態の他、かぎ型に切り欠いてかみ合わせるようにしても、本考案の範囲を逸脱するものではない。
【００１９】
６は前記タイル等敷設用フレーム１内に受容する軽量な装飾タイル等である。尚、本実施例においては装飾タイルに用いる場合を示したが、大理石等の天然石を薄い板に加工した装飾板に用いるようにしてもよい。また、その他７は防水加工を施したバルコニーの床面である。
【００２０】
次に、本実施例の作用について説明する。
先ず、装飾タイル６を、図６に示す如くタイル等敷設用フレーム１内に嵌め入れる。そしてその後、図７及び図８に示す如くタイル等敷設用フレーム１を防水加工を施したバルコニーの床面７上に並べて敷設するものである。そして、並べて敷設するときには、隣接する一方のタイル等敷設用フレーム１の連結用の突起４と、もう一方のタイル等敷設用フレーム１の凹部５とが嵌まり合うようにするものである。
【図面の簡単な説明】
【００２１】
【図１】本考案の斜視図である。
【図２】本考案の平面図である。
【図３】図２中Ａ−Ａ線断面図である。
【図４】図２中Ｂ−Ｂ線断面図である。
【図５】本考案の底面図である。
【図６】本考案のタイルを受容した状態の斜視図である。
【図７】本考案の敷設した状態の斜視図である。
【図８】本考案の敷設した状態の部分拡大断面図である。
【符号の説明】
【００２２】
１  タイル等敷設用フレーム
１Ａ  タイル等敷設用フレームの底部
２、２  水抜き孔
３、３  小突起
４  連結用の突起
５  連結用の凹部
６  装飾タイル
【図１】
0003104512.tif 000003
【図２】
0003104512.tif 000004
【図３】
0003104512.tif 000005
【図４】
0003104512.tif 000006
【図５】
0003104512.tif 000007
【図６】
0003104512.tif 000008
【図７】
0003104512.tif 000009
【図８】
0003104512.tif 000010